(57)【要約】【課題】装置の構成が複雑でなく、またバックライトの経時劣化による個体差および温度特性などの使用環境の影響を受けずに輝度を調整できる表示装置を提供する。【解決手段】第１の表示部（６）および第２の表示部（８）と、第１のバックライトと、第２のバックライトとを備えている表示装置（１）であって、上記第２の表示部（８）の輝度を検出する第１の光センサー（１０）と、上記第２の表示部と同一の画像を表示している時の上記第１の表示部（６）の輝度を検出する第２の光センサー（１２）と、上記各輝度を比較することによって、第１の調整信号および第２の調整信号を生成する調整信号生成部と、上記各調整信号に基づいて上記各バックライトの輝度を調整する第１のバックライト調整部と、第２のバックライト調整部と、を備えていることを特徴とする表示装置。【選択図】図１
2010191003.tif 000002
【特許請求の範囲】
【請求項１】
対向して開閉可能な第１および第２の表示部と、当該第１の表示部に光を照射する第１のバックライトと、当該第２の表示部に光を照射する第２のバックライトとを備えている表示装置であって、
上記第１の表示部に取り付けられており、上記第２の表示部の輝度を検出する第１の光センサーと、
上記第２の表示部に取り付けられており、上記第１の表示部の輝度を検出する第２の光センサーと、
所定の画像を上記第２の表示部が表示している時に上記第１の光センサーが検出した輝度と、当該画像と同一の画像を上記第１の表示部が表示している時に上記第２の光センサーが検出した輝度とを比較することによって、第１の調整信号および第２の調整信号を生成する調整信号生成部と、
上記第１の調整信号に基づいて上記第１のバックライトの輝度を調整する第１のバックライト調整部と、
上記第２の調整信号に基づいて上記第２のバックライトの輝度を調整する第２のバックライト調整部と、を備えていることを特徴とする表示装置。
【請求項２】
上記第１の表示部と上記第２の表示部とは同一サイズであることを特徴とする請求項１に記載の表示装置。
【請求項３】
上記調整信号生成部は、上記第１の表示部の輝度と、上記第２の表示部の輝度との差を低減するような上記第１の調整信号および上記第２の調整信号を生成することを特徴とする請求項１または２に記載の表示装置。
【請求項４】
上記調整信号生成部は、上記第１の表示部の輝度と、上記第２の表示部の輝度との差を実質的にゼロにするような上記第１の調整信号および上記第２の調整信号を生成することを特徴とする請求項１から３の何れか１項に記載の表示装置。
【請求項５】
液晶表示装置であることを特徴とする請求項１から４までの何れか１項に記載の表示装置。
【発明の詳細な説明】
【技術分野】
【０００１】
本発明は、複数の液晶パネルを用いた表示装置に関し、表示輝度を調整することができる表示装置に関するものである。
【背景技術】
【０００２】
近年、複数の表示画面を有する携帯機器が普及している。このような携帯機器として例えば、メインディスプレイとは別に、ダイアル部分を液晶パネルまたはタッチパネルにより表示する携帯電話、または２画面を有する携帯ゲーム機などがある。
【０００３】
このような機器の液晶表示装置は非発光型の表示装置であり、パネルの後方から光を照射しないとパネルに表示された画像情報を視認することができない。この後方からの光を照射するために、白色ＬＥＤなどを用いたバックライト装置が必要となる。
【０００４】
また、このような携帯機器では、電池の寿命を延ばすため、システム上消費電力の割合が大きいバックライトの低消費化を図っている。具体的には、表示するデータに応じてバックライトの輝度（ｃｄ／ｍ２）、すなわち単位面積あたりの光度（ｃｄ）を制御している。なお、輝度の代わりに照度（ｌｘ：ルクス）、光強度（Ｗ：ワット）、または光度（ｃｄ：カンデラ）などを用いてもよい。
【０００５】
しかしながら、例えば、バックライトの輝度の制御を白色ＬＥＤの点灯時間により調整する場合、すなわち表示画面ごとのバックライトの点灯時間により調整する場合には、各表示画面間に輝度差が生じる。なぜなら、各表示画面の画素が同一の輝度を表示するように各バックライトを調整しても、バックライトごとの経時劣化による個体差または温度特性などの使用環境などにより、各バックライトから放射される光の輝度にばらつきが生じるため、バックライトから放射される光の輝度と白色ＬＥＤの点灯時間とは必ずしも比例しないからである。
【０００６】
また、バックライトの輝度制御を白色ＬＥＤに流れる電流量により調整する場合、すなわち表示画面ごとのバックライトに流れる電流量により調整する場合も同様に、各バックライトを調整しても、各バックライトの経時劣化による個体差または温度特性などの使用環境などにより、バックライトから放射される光の輝度と電流量とは必ずしも比例しないため、各表示画面間に輝度差が生じる。
【０００７】
複数の表示画面に輝度が異なる画像を表示させる場合には、バックライトの経時劣化および使用環境を原因とする輝度差の影響は比較的大きくはない。しかしながら、複数の表示画面に同一の画像、つながりのある一つの画像を分割した画像、または互いの輝度が近い画像を表示させる場合には、複数の画像間の輝度差が比較的小さくても視認による影響は大きくなってしまう。
【０００８】
特許文献１には、バックライトの経時劣化による個体差または温度特性などの使用環境による影響を受けないようにするため、表示部ごとに設けられた輝度検出センサにより表示部ごとの輝度を検出し、表示部ごとに検出した輝度を、複数の画面に共通の目標輝度に一致させることにより、複数の画面の輝度を調整することが開示されている。
【先行技術文献】
【特許文献】
【０００９】
【特許文献１】特開２００７−１８３３９７号公報（２００７年７月１９日公開）
【発明の概要】
【発明が解決しようとする課題】
【００１０】
しかしながら、特許文献１に記載の方法では以下の問題が生じる。
【００１１】
すなわち、特許文献１に記載の方法では、バックライトの経時劣化による個体差および温度特性などの使用環境の影響は受けないが、全ての表示部に共通の目標輝度を設定する必要があり、また、表示部ごとの実際の輝度と該目標輝度との差を検出し、表示部ごとにこの差を補正する必要がある。したがって、装置の構成が複雑となる。
【００１２】
本発明は、上記の問題に鑑みてなされたものであり、その目的は、装置の構成が複雑でなく、またバックライトの経時劣化による個体差および温度特性などの使用環境の影響を受けずに輝度を調整できる表示装置を提供することにある。
【課題を解決するための手段】
【００１３】
上記課題を解決するために、本発明に係る表示装置は、対向して開閉可能な第１および第２の表示部と、当該第１の表示部に光を照射する第１のバックライトと、当該第２の表示部に光を照射する第２のバックライトとを備えている表示装置であって、上記第１の表示部に取り付けられており、上記第２の表示部の輝度を検出する第１の光センサーと、上記第２の表示部に取り付けられており、上記第１の表示部の輝度を検出する第２の光センサーと、所定の画像を上記第２の表示部が表示している時に上記第１の光センサーが検出した輝度と、当該画像と同一の画像を上記第１の表示部が表示している時に上記第２の光センサーが検出した輝度とを比較することによって、第１の調整信号および第２の調整信号を生成する調整信号生成部と、上記第１の調整信号に基づいて上記第１のバックライトの輝度を調整する第１のバックライト調整部と、上記第２の調整信号に基づいて上記第２のバックライトの輝度を調整する第２のバックライト調整部と、を備えていることを特徴としている。
【００１４】
上記の構成によれば、上記第１の表示部に取り付けられている上記第１の光センサーが所定の画像を表示している時の上記第２の表示部の輝度を検出し、上記第２の表示部に取り付けられている上記第２の光センサーが上記所定の画像と同一の画像を表示している時の上記第１の表示部の輝度を検出する。次に、上記調整信号生成部が、上記第１の光センサーが検出した輝度と、上記第２の光センサーが検出した輝度とを比較することによって、上記第１のバックライトの輝度を調整する上記第１の調整信号を上記第１のバックライト調整部に供給し、上記第２のバックライトの輝度を調整する上記第２の調整信号を上記第２のバックライト調整部に供給する。このように、上記第１の表示部の輝度と、上記第２の表示部の輝度とを比較するため、バックライトの経時劣化による個体差および温度特性などの使用環境の影響を受けずに輝度を調整できる。また、互いの表示部の輝度を比較するため、複数の表示部に共通の目標輝度を設定する必要無く輝度を調整できる。したがって、装置の構成が簡単になるという効果を奏する。
【００１５】
本発明に係る表示装置において、上記第１の表示部と上記第２の表示部とは同一サイズであることが好ましい。
【００１６】
上記の構成によれば、上記第１の表示部と上記第２の表示部とは同一サイズであるため、上記第１の表示部と上記第２の表示部とに同一の画像、つながりのある一つの画像を分割した画像を表示することに適した表示装置を提供できるという更なる効果を奏する。
【００１７】
本発明に係る表示装置において、上記調整信号生成部は、上記第１の表示部の輝度と、上記第２の表示部の輝度との差を低減するような上記第１の調整信号および上記第２の調整信号を生成することが好ましい。
【００１８】
上記の構成によれば、上記調整信号生成部は、上記第１の表示部の輝度と、上記第２の表示部の輝度との差を低減する上記第１の調整信号および上記第２の調整信号を生成するため、上記第１の表示部の輝度と、上記第２の表示部の輝度との差を低減できる。したがって、第１の表示部の輝度と、第２の表示部の輝度との差が少ない表示装置を提供できるという更なる効果を奏する。
【００１９】
本発明に係る表示装置において、上記調整信号生成部は、上記第１の表示部の輝度と、上記第２の表示部の輝度との差を実質的にゼロにするような上記第１の調整信号および上記第２の調整信号を生成することが好ましい。
【００２０】
上記の構成によれば、上記調整信号生成部は、上記第１の表示部の輝度と、上記第２の表示部の輝度との差を実質的にゼロにするような上記第１の調整信号および上記第２の調整信号を生成するため、上記第１の表示部の輝度と、上記第２の表示部の輝度との差を実質的にゼロにできる。したがって、第１の表示部の輝度と、第２の表示部の輝度との差が実質的に等しい表示装置を提供できるという更なる効果を奏する。
【００２１】
なお、液晶表示装置であることを特徴とする上記表示装置も本発明の範疇に含まれる。
【発明の効果】
【００２２】
本発明に係る表示装置は、以上のように、対向して開閉可能な第１および第２の表示部と、当該第１の表示部に光を照射する第１のバックライトと、当該第２の表示部に光を照射する第２のバックライトとを備えている表示装置であって、上記第１の表示部に取り付けられており、上記第２の表示部の輝度を検出する第１の光センサーと、上記第２の表示部に取り付けられており、上記第１の表示部の輝度を検出する第２の光センサーと、所定の画像を上記第２の表示部が表示している時に上記第１の光センサーが検出した輝度と、当該画像と同一の画像を上記第１の表示部が表示している時に上記第２の光センサーが検出した輝度とを比較することによって、第１の調整信号および第２の調整信号を生成する調整信号生成部と、上記第１の調整信号に基づいて上記第１のバックライトの輝度を調整する第１のバックライト調整部と、上記第２の調整信号に基づいて上記第２のバックライトの輝度を調整する第２のバックライト調整部と、を備えている。
【００２３】
したがって、バックライトの経時劣化による個体差および温度特性などの使用環境の影響を受けずに輝度を調整できる。また、複数の表示部に共通の目標輝度を設定する必要無く輝度を調整できる。
【図面の簡単な説明】
【００２４】
【図１】本発明の実施形態を示すものであり、表示装置の構成を示す斜視図である。
【図２】本発明の実施形態を示すものであり、閉じられた状態における表示装置の構成を示す上面図である。
【図３】本発明の実施形態を示すものであり、バックライト制御部、表示画面、光センサー、およびバックライト装置の構成を示すブロック図である。
【発明を実施するための形態】
【００２５】
本発明のいくつかの実施形態について、図面に基づいて説明すれば以下のとおりである。
【００２６】
（表示装置１の構成）
まず、本実施形態に係る表示装置１の構成について、図１を参照して説明する。図１は、表示装置１の構成を示す斜視図である。
【００２７】
表示装置１は、上部の第１筐体２および下部の第２筐体４を備えている。図１に示す表示装置１は、第１筐体２と第２筐体４とが互いの共通の一辺を軸として開かれている。
【００２８】
第１筐体２には、その中央近辺に第１の表示画面６が取り付けられており、第２筐体４には、その中央近辺に第２の表示画面８が取り付けられている。第１の表示画面６と第２の表示画面８とは対向して開閉可能である。また、第１の表示画面６と第２の表示画面８とは同一の画面サイズである。第１の表示部６と第２の表示部８とに同一の画像、またはつながりのある一つの画像を分割した画像を表示する場合には、第１の表示画面６と第２の表示画面８とが同一の画面サイズであることが好ましい。しかしながら、第１の表示画面６と第２の表示画面８とは同一の画面サイズでなくともよい。
【００２９】
また、第１筐体２の第１の表示画面６が取り付けられていない箇所には、第２の表示部８の輝度を検出する第１の光センサー１０が取り付けれらており、第２筐体４の第２の表示画面８が取り付けられていない箇所には、第１の表示部６の輝度を検出する第２の光センサー１２が取り付けれらている。
【００３０】
また、第１筐体２は、第１の表示画面６後部に、図示はしないが第１のバックライト装置を備えており、第２筐体４は、第２の表示画面８後部に、図示はしないが第２のバックライト装置を備えている。また、第１筐体２または第２筐体４の内部には、図示はしないがバックライト制御部が内蔵されている。なお、バックライト装置各々およびバックライト制御部の機能については、参照する図面を替えて後述する。
【００３１】
（表示画面各々と光センサー各々との位置関係）
次に、閉じられた状態における表示装置１の表示画面各々と光センサー各々との位置関係について、図２を参照して説明する。図２は、閉じられた状態における表示装置１の構成を示す上面図である。
【００３２】
図２に示すように、第１筐体２と第２筐体４とが閉じている状態において、第１の光センサー１０と第２の光センサー１２とは、第２の表示画面８に対する第１の光センサー１０の位置関係と、第１の表示画面６に対する第２の光センサー１２の位置関係とが等しくなるように取り付けられている。換言すれば、第１の表示画面６と第２の表示画面８とに同一の画像データを表示させた場合に、第１の光センサー１０と第２の光センサー１２とは、形および向きなどが全く等しい同一の画像データの輝度を検出する。
【００３３】
（調整信号生成部を用いない場合におけるバックライト制御部による輝度調整）
次に、表示装置１が備えているバックライト制御部による輝度調整について、図３を参照して説明する。図３は、バックライト制御部２０、表示画面６および８、光センサー１０および１２、並びに第１および第２のバックライト装置３０および３２の構成を示すブロック図である。バックライト制御部２０は、表示データ生成回路２２、第１および第２のバックライト調整部２４および２６、並びに調整信号生成部２８を備えている。第１のバックライト装置３０は、白色ＬＥＤ光源を備え、第１の表示部６に光を照射する第１のバックライト３４と、該白色ＬＥＤ光源を駆動する第１のＬＥＤドライバ３８とを備えている。同様に、第２のバックライト装置３２は、白色ＬＥＤ光源を備え、第２の表示部８に光を照射する第２のバックライト３６と、該白色ＬＥＤ光源を駆動する第２のＬＥＤドライバ４０とを備えている。
【００３４】
表示データ生成回路２２は、表示画面６および８に表示する同一である各画像の画像データに基づいて、各表示画面６および８に同一の表示制御データを送る。各表示画面６および８は、受け取った上記表示制御データに基づいて、各画素における液晶の透過率を制御する。
【００３５】
また、表示データ生成回路２２は、バックライト３４および３６の輝度を画像に応じて決定し、バックライト３４の設定輝度データをバックライト調整部２４に、また、バックライト３６の設定輝度データをバックライト調整部２６に送る。各バックライト調整部２４および２６は、受け取った上記設定輝度データに応じてＰＷＭ（Ｐｕｌｓｅ  Ｗｉｄｔｈ  Ｍｏｄｕｌａｔｉｏｎ）波形信号を生成し、該ＰＷＭ波形信号をバックライト調整部２４はＬＥＤドライバ３８に、また、バックライト調整部２６はＬＥＤドライバ４０に送る。ＬＥＤドライバ３８は、受け取ったＰＷＭ波形信号をバックライト３４が備えるＬＥＤを流れる電流に変換することによって、バックライト３４の輝度を制御する。同様に、ＬＥＤドライバ４０は、受け取ったＰＷＭ波形信号をバックライト３６が備えるＬＥＤを流れる電流に変換することによって、バックライト３６の輝度を制御する。なお、調整信号生成部２８の機能については後述する。
【００３６】
以上説明したように、各表示画面６および８における液晶の透過率と、各バックライト３４および３６の輝度とを制御することによって、表示装置１は各表示画面６および８における画素の輝度を調整する。
【００３７】
各バックライト３４および３６における輝度性能に劣化が全く無い場合には、以上説明した方法において各表示画面６および８における輝度を調整できる。しかしながら、各バックライト３４および３６ごとの輝度性能に劣化がある場合には、各バックライト３４および３６に同一の輝度の光を照射するように制御してもバックライト３４とバックライト３６との輝度に差異が生じる。したがって、各バックライト３４および３６の輝度を制御することのみでは各表示画面６および８における画素の輝度を調整することはできない。したがって、以下の輝度調整を行う必要がある。
【００３８】
（調整信号生成部による輝度調整）
次に、調整信号生成部２８による表示画面６と表示画面８との輝度調整について説明する。
【００３９】
まず、表示装置１は上述した方法により、表示画面６と表示画面８とに所定のタイミングにおいて同一の画像を表示する。この同一の画像は、同一の表示パターン、色情報、および輝度を有している画像情報のことである。次に、第１の光センサー１０は所定の画像を表示している時の第２の表示画面８の輝度を検出し、また、第２の光センサー１２は上記所定の画像と同一の画像を表示している時の第１の表示画面６の輝度を検出する。次に、調整信号生成部２８は、第１の光センサー１０が検出した輝度と、第２の光センサー１２が検出した輝度とを比較することによって、第１の調整信号および第２の調整信号を生成する。なお、この表示画面６および８間の輝度差を素子間実輝度差と称する。
【００４０】
次に、調整信号生成部２８はこの素子間実輝度差を低減または実質的にゼロにするために、バックライト３４およびバックライト３６各々についての輝度補正値を算出する。次に、調整信号生成部２８はこの算出した輝度補正値に対応した第１の調整信号を第１のバックライト調整部２４に、第２の調整信号を第２のバックライト調整部２６に送る。第１のバックライト調整部２４は第１の調整信号に基づいて第１のＬＥＤドライバ３８を制御することによって、第１のバックライト３４の輝度を制御する。同様に、第２のバックライト調整部２６は第２の調整信号に基づいて第２のＬＥＤドライバ４０を制御することによって、第２のバックライト３６の輝度を制御する。具体的には、各バックライト３４および３６の輝度を明るく調整する場合には、白色ＬＥＤに流れる電流を増やすようにＰＷＭ波形信号を調整し、また、各バックライト３４および３６の輝度を暗く調整する場合には、白色ＬＥＤに流れる電流を減らすようにＰＷＭ波形信号を調整する。
【００４１】
以上のように、表示装置１は各バックライト３４および３６の輝度の補正を行い、表示画面６と表示画面８との輝度の差である素子間実輝度差を低減または実質的にゼロにする。
【００４２】
以上のように、表示装置１は、第１の表示部６の輝度と、第２の表示部８の輝度とを比較することにより、第１の表示部６および第２の表示部８の輝度を調整するため、バックライトの経時劣化による個体差および温度特性などの使用環境の影響を受けずに輝度を調整できる。また、互いの表示部の輝度を比較するため、複数の表示部に共通の目標輝度を設定する必要無く輝度を調整できる。したがって、装置の構成が簡単になる。
【００４３】
（付記事項）
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【００４４】
例えば、本発明は、以下のように表現することもできる。
【００４５】
１．複数の表示画面を有する表示装置であって、第１表示画面が第1筐体に設けられ、第２表示画面が第２筐体に設けられ、第1筐体と第2筐体とが開閉可能な構造である表示装置において、第１表示画面および第２表示画面が内向きに互いに対向して閉じられる構造を有し、第１表示画面付近に設けられ、第１表示画面の前方から入射される光強度を検出する第１の光センサーと、第２表示画面付近に設けられ、第２表示画面の前方から入射される光強度を検出する第２の光センサーとを備え、第１表示画面および第２表示画面とが対向した時に、第１の光センサーが対向する第２表示画面上の位置と、第２の光センサーが対向する第１表示画面上の位置とが等価であり、第１表示画面と第２表示画面とを閉じた状態において、第１表示画面に所定の表示パターン、輝度及び色情報を有する表示情報を表示する第１の期間に、対向する第２の光センサーによって第１表示画面からの第１の光強度を測定し、第２表示画面に第１の期間と同一の表示パターン、輝度及び色情報を有する表示情報を表示する第２の期間に、対向する第１の光センサーによって第２表示画面からの第２の光強度を測定し、第２の光強度が第１の光強度より大きい場合は、第２表示装置のバックライト強度を大きくし、第２の光強度が第１の光強度より小さい場合は、第２表示装置のバックライト強度を小さくすることによって、第２の光強度を第１の光強度と等しくすることを特徴とする表示装置。
【００４６】
２．前記の第１表示画面と第２表示画面とが同一サイズであることを特徴とする請求項１に記載の表示装置。
【産業上の利用可能性】
【００４７】
本発明の表示装置は、表示輝度を制御する表示装置一般に対して広く適用することができる。
【符号の説明】
【００４８】
１      表示装置
６      第１の表示部
８      第２の表示部
１０    第１の光センサー
１２    第２の光センサー
２４    第１のバックライト調整部
２６    第２のバックライト調整部
２８    調整信号生成部
３０    第１のバックライト装置
３２    第２のバックライト装置
３４    第１のバックライト
３６    第２のバックライト
３８    第１のＬＥＤドライバ
４０    第２のＬＥＤドライバ
【図１】
2010191003.tif 000003
【図２】
2010191003.tif 000004
【図３】
2010191003.tif 000005